(57)【要約】【課題】画像形成装置本体外へ排出されたシート材から発生する揮発性有機化合物（ＶＯＣ）を除去する。【解決手段】シート材排出部４１に排出される定着後のシート材から発生する揮発性有機化合物の雰囲気を、画像形成装置本体に設けたファン５１などの吸引手段により吸引する。吸引した空気に含まれる揮発性有機化合物（ＶＯＣ）を活性炭フィルタ５２などの浄化手段によって吸着させるか、または酸化させるかにより分解して浄化し、機外に排出する。【選択図】図１
2007232949.tif 000002
【特許請求の範囲】
【請求項１】
画像形成装置本体から排出されるシート材周辺の気体を吸引する吸引手段と、
該吸引手段によって吸引された気体に含まれる揮発性有機化合物を浄化する浄化手段とを備え、
排出されるシート材周辺の気体を吸引し、前記浄化手段により前記気体に対して浄化処理を行った後、外気に排出する構成を有する
ことを特徴とする画像形成装置。
【請求項２】
外部に露出するシート材排出部近傍の気体を吸引し浄化処理することを特徴とする請求項１記載の画像形成装置。
【請求項３】
画像形成装置本体に接続される後処理装置を有し、該後処理装置を介してシート材がシート材排出部に排出される構成で、後処理装置内の気体についても吸引し浄化処理することを特徴とする請求項２記載の画像形成装置。
【請求項４】
吸引手段および浄化手段は画像形成装置本体に設けられ、浄化した気体を画像形成装置本体から外気に排出する構成となっていることを特徴とする請求項１乃至３のいずれか１項記載の画像形成装置。
【請求項５】
画像形成装置本体に接続される後処理装置を有し、該後処理装置を介してシート材がシート材排出部に排出される構成で、シート材後処理装置内に後処理装置内およびシート材排出部近傍の気体を画像形成装置本体内に引き込む流路を有することを特徴とする請求項４記載の画像形成装置。
【請求項６】
後処理装置内に吸引手段を補助する補助吸引手段を有することを特徴とする請求項５記載の画像形成装置。
【請求項７】
画像形成装置本体の吸引手段の風量が後処理装置の補助吸引手段の風量より大きくなるように風量を設定することを特徴とする請求項６記載の画像形成装置。
【請求項８】
吸引手段によって吸引される気体と画像形成装置本体内のオゾンを含んだ気体と合わせて浄化手段によって処理することを特徴とする請求項４記載の画像形成装置。
【請求項９】
吸引手段および浄化手段は後処理装置に設けられ、浄化した気体を後処理装置から外気に排出する構成となっていることを特徴とする請求項４記載の画像形成装置。
【請求項１０】
シート材排出部近傍の気体の拡散を防止し整流する整流手段を有することを特徴とする請求項２記載の画像形成装置。
【請求項１１】
シート材排出部全体を囲むカバーを有することを特徴とする請求項２記載の画像形成装置。
【請求項１２】
吸引手段および浄化手段がカバーに設けられ、浄化した気体をカバーから外気に排出する構成となっていることを特徴とする請求項１１記載の画像形成装置。
【発明の詳細な説明】
【技術分野】
【０００１】
この発明は、画像形成装置に関し、特に、プリンタやファクシミリ、複写機またはこれらの機能を合わせ持つ複合機の画像形成装置に適用して好適なものである。
【背景技術】
【０００２】
例えば、複写機・プリンタ・ファクシミリなどの画像形成装置において、電子写真方式・静電記録方式・磁気記録方式などの適宜の作像プロセス機構によりシート材（転写材・感光紙・静電記録紙・印刷紙などの紙葉体）に転写方式（間接方式）または直接方式で目的の画像情報に対応させて形成担持させた未定着トナー像を熱定着する装置が広く使われている。また、インクジェット方式の記録装置においても、インクを短時間で乾燥させるために被記録材を加熱するものがある。
【０００３】
近年においては、上記の装置においても、出力品位を重視し所謂印刷機で使用されているコート紙に代表される多種のマテリアルのシート材に対応することが望まれている。コート紙は紙の表面を樹脂などの化学物質でコートしグロス調やマット調に仕上げたものである。
【０００４】
ところが、コート紙の種類によっては、加熱によってコート紙表面の化学物質から揮発性有機化合物（以下、ＶＯＣ）が発生する場合がある。また、近年、ＶＯＣに対する規制が強化されつつある。
【０００５】
従来、装置本体内で発生するオゾンや飛散したトナーを、多孔性の活性炭などで吸着して除去するフィルタを設けることが一般的であり、このようなフィルタはＶＯＣも除去する効果を有している。また、オゾンなどの除去効率をあげるため加熱部の両端に吸引および排気を設け、循環させてオゾン除去を行う例があり（特許文献１参照）。また、機内で発生したオゾンを、ＶＯＣを含む空気と混合し、酸化反応により、ＶＯＣを分解する提案がある（特許文献２参照）。また、フィルタとしては活性炭以外にゼオライトなどの吸着剤や酸化触媒を用いることがある。
【特許文献１】特開２００２−９１２７０号公報
【特許文献２】特開平６−１９２６４号公報
【発明の開示】
【発明が解決しようとする課題】
【０００６】
しかしながら、上記の例においては本体で発生した分の（オゾンや）ＶＯＣを除去することは可能であるが、装置外に排出されたシート材はまだ完全に冷えておらず、ＶＯＣを発生しているが、これを除去することは不可能である。シート材の冷却を行っている装置もあるが、常温までの冷却を短時間におこなうためには、液体窒素など極低温の液体または気体を使用しなければならず、コスト的にも取り扱いにおいても非常に課題が多い。
【０００７】
したがって、この発明の目的は、従来技術の問題を解決して、画像形成装置本体外に排出されたシート材から発生する揮発性有機化合物を浄化処理可能な画像形成装置を提供することにある。
【課題を解決するための手段】
【０００８】
上記目的を達成するために、この発明は、
画像形成装置本体から排出されるシート材周辺の気体を吸引する吸引手段と、
該吸引手段によって吸引された気体に含まれる揮発性有機化合物を浄化する浄化手段と
を備え、
排出されるシート材周辺の気体を吸引し、前記浄化手段により前記気体に対して浄化処理を行った後、外気に排出する構成を有する
ことを特徴とする画像形成装置である。
【発明の効果】
【０００９】
以上のように、この発明においては、プリンタやファクシミリ、複写機またはこれらの機能を合わせ持つ複合機などの画像形成装置において、シート材周辺の気体を吸引して浄化処理して機外に排出することで、画像形成装置本体から排出されるシート材から発生する揮発性有機化合物を除去することができる。よって、コート紙など多種のシート材を安全に使用することができる。
【発明を実施するための最良の形態】
【００１０】
以下、この発明の実施形態について図面を参照しながら説明する。なお、以下の実施形態の全図においては、同一または対応する部分には同一の符号を付す。
【００１１】
（第１の実施形態）
以下、この発明の第１の実施形態について、図面を用いて説明する。図１乃至図３に、この発明の第１の実施形態による画像形成装置を示す。この第１の実施形態の画像形成装置は、コンピュータ，ファクシミリ，リーダなどからの情報を出力するプリンタとして用いられる。まず、図２を参照して外部Ｉ／Ｆ処理部１４０の内部構造および周辺装置について説明する。
【００１２】
（通信部および画像処理部）
外部Ｉ／Ｆ処理部１４０は、画像メモリ部１３０を介して、リーダ部１からの画像データを取り込み、ネットワークあるいは電話回線を介して外部コンピュータや外部のファクシミリに画像データを送る。また、外部のコンピュータあるいはファクシミリからネットワークあるいは電話回線を介して送られてきた画像データを、画像メモリ部１３０（と画像処理部１７０）を介して、プリンタ部へ出力して画像形成を行う。
【００１３】
外部Ｉ／Ｆ処理部１４０は、コア部５０６、ファクシミリ部５０１、ファクシミリ部５０１の通信画像データを保存するハードディスク５０２、外部コンピュータ１９０と接続するコンピュータインターフェイス部５０３、フォーマッタ部５０４、イメージメモリ部５０５から構成される。
【００１４】
ファクシミリ部５０１はモデム（図示せず）を介して公衆回線へと接続しており、公衆回線からのファクシミリ通信データの受信と、公衆回線へのファクシミリ通信データの送信を行う。ファクシミリ部５０１においては、指定された時間にファクス送信を行うことや、あるいは相手からの指定パスワードによる問い合わせに応じて画像データを送信するなどのファクシミリ機能を、ハードディスク５０２に保存されたファクス用の画像を利用して実現する。
【００１５】
これにより、一度リーダ部１から画像メモリ部１３０を介してファクシミリ部５０１に画像を送り、ファクシミリ用のハードディスク５０２へ画像を保存した後は、リーダ部１、画像メモリ部１３０をファクシミリ機能に使うことなしに、ファクス送信を行うことができる。
【００１６】
コンピュータインターフェイス部５０３は、外部コンピュータ１９０とのデータ通信を行うインターフェイス部であり、ローカルエリアネットワーク（ＬＡＮ）、シリアルＩ／Ｆ、ＳＣＳＩ−Ｉ／Ｆ、プリンタのデータ入力用のセントロＩ／Ｆなどを持つ。このコン
ピュータインターフェイス部５０３を介して、画像形成部２、リーダ部１の状態を外部コンピュータ１９０に通知を行う。あるいは外部コンピュータ１９０からの指示で、リーダ部１で読み取った画像の外部コンピュータ１９０への転送を行う。
【００１７】
コンピュータインターフェイス部５０３はまた、外部コンピュータ１９０からプリント画像データを受け取る。その際には、外部コンピュータ１９０から通知されるプリント画像データは専用のプリンタコードで記述されているため、フォーマッタ部５０４において、通知されたデータコードを、画像形成部２で画像形成を行うことができるラスタイメージデータに変換する。変換されたラスタイメージデータはフォーマッタ部５０４によりイメージメモリ部５０５に展開される。一方でコンピュータインターフェイス部５０３を介して外部コンピュータ１９０に画像データを送信する際には、フォーマッタ部５０４は、画像メモリ部１３０から送られてきたプリント画像データに対して、イメージメモリ部５０５において、濃度変換、外部コンピュータ１９０で認識可能な画像フォーマットへの変換を行う。
【００１８】
イメージメモリ部５０５は、このようにフォーマッタ部５０４のラスタイメージデータを展開するメモリとして使用されるほか、リーダ部１からの画像データを外部コンピュータ１９０に送る（ネットワークスキャナ機能）場合にも使用される。
【００１９】
すなわち、リーダ部１からの画像をコンピュータインターフェイス部５０３経由で外部コンピュータ１９０に送る場合には、画像メモリ部１３０から送られる画像データをイメージメモリ部５０５に一度展開し、ここで外部コンピュータ１９０に送るデータの形式に変換したうえで、コンピュータインターフェイス部５０３から外部コンピュータ１９０に送出する。
【００２０】
コア部５０６は、ファクシミリ部５０１、コンピュータインターフェイス部５０３、フォーマッタ部５０４、イメージメモリ部５０５、画像メモリ部１３０の相互間で行われるそれぞれのデータ転送を制御管理する。これにより、外部Ｉ／Ｆ処理部１４０に複数の画像出力部が接続されていても、また画像メモリ部１３０への画像転送路が一つであっても、コア部５０６の管理のもと排他制御、優先度制御が行われるため、画像出力は適切に行われる。
【００２１】
蓄積した画像をプリントする際には、まず画像データを画像メモリ部１３０から画像処理部１７０内のγ補正部に送る。γ補正部においては、設定された濃度値に応じた出力にするために、プリンタの特性を考慮したルックアップテーブル（ＬＵＴ）に基づいて、元の濃度データから所望の出力濃度対応した濃度データに変換する。
【００２２】
露光制御部１１０は各色の感光体ドラム２３上にレーザ２１の照射タイミングを制御し、画像データの静電潜像を形成する。
【００２３】
（本体コントローラ部）
図３は本画像形成装置の動作制御部のブロック図である。ＣＰＵ１２０は、画像形成装置の基本制御を行うための情報処理回路である。ＣＰＵ１２０は、制御プログラムが書き込まれたＲＯＭ１２１、処理を行うためのワークＲＡＭ１２２、および入出力ポート１２３が、アドレスバス、データバスにより接続されている。ＲＡＭ１２２の一部の領域は電源ＯＦＦされてもデータが消去されないバックアップＲＡＭとなっている。入出力ポート１２３には、画像形成装置が制御するモータ、クラッチなどの各種負荷装置や、紙の位置を検知するセンサなどの入出力装置が接続されている。
【００２４】
ＣＰＵ１２０は、ＲＯＭ１２１の制御プログラムの内容にしたがって、入出力ポート１
２３を介して順次入出力の制御を行い、画像形成処理を実行する。
【００２５】
また、ＣＰＵ１２０には操作部１２４が接続されており、ＣＰＵ１２０は操作部１２４の表示手段、キー入力手段を制御する。上述した使用者はキー入力手段を通して、画像形成動作モードや、表示の切り替えをＣＰＵ１２０に指示し、ＣＰＵ１２０は操作部１２４の表示手段に対して、画像形成装置の動作状態や、キー入力によって設定された動作モードの表示を行う。
【００２６】
次に、この発明の画像形成装置について説明する。図１に、画像形成装置の概略構成を示す。この画像形成装置は、電子写真プロセス工程を用いたプリンタである。なお、一連の電子写真プロセス工程については公知であるので詳細説明は省略する。
【００２７】
（給紙部）
図１に示すように、画像形成装置の下部には、シート材Ｓを積載収納した給紙カセット３１が着脱可能に装着されている。ピックアップローラ３２に連結されたソレノイド（図示せず）が待機時にはＯＮしてピックアップローラ３２はシート材面上から離間している。次に、シート材を給送する時には、ソレノイドがＯＦＦし、ピックアップローラ３２はシート材面上に接する。
【００２８】
そして、回転駆動を受けているピックアップローラ３２によって一枚目のシート材の給送を行う。ピックアップローラ３２の駆動は搬送ローラ３３よりタイミングベルトを介して伝達される。
【００２９】
ピックアップされたシート材は搬送ローラ３３およびリタードローラ３４によって挟持搬送される。搬送ローラ３３はシート材搬送方向に回転駆動を受けており、リタードローラ３４はトルクリミッタ（図示せず）を介して搬送方向とは逆方向に回転駆動されている。
【００３０】
よって、一枚目の先端側は両ローラ間に一枚しかないので、シート材とローラの摩擦力にトルクリミッタが負けてリタードローラ３４は搬送方向に回転する。次に、シート材が重なった場合、両ローラの挟持部に達すると、１枚目と２枚目のシート材の摩擦力はトルクリミッタに負けてリタードローラ３４は搬送方向に対して逆転するため、最上側の１枚のみが先行して分離給送される。仮に複数枚のシート材Ｓをピックアップしてしまった場合でも同様な動作で最上側の１枚のみが先行して分離給送される。
【００３１】
以上のような給紙動作により、積載されたシート材を一枚ずつ給送することを可能としている。
【００３２】
（搬送部）
給紙部３により給送されたシート材はレジストローラ２０で先端を一旦止められ、画像形成部２によって形成された画像に合わせて再び給送されて転写部にて画像の転写が行われる。レジストローラ２０の回転駆動はステッピングモータ（図示せず）により行われ、その制御は本体のコントローラにより制御されている。
【００３３】
（画像形成部）
露光制御部からの画像情報にあわせ、レーザスキャナユニット１１に含まれるレーザ発光部（図示せず）はレーザ光を発光する。そして、ポリゴンミラー（図示せず）の回転によって感光体ドラム２３の母線方向に走査させて、あらかじめ帯電器２４によって帯電させてあるドラム面に潜像を形成する。この潜像は感光体ドラム２３の周囲に設けた現像機２５によって現像され、電界をかけられた転写ローラ２８とのニップ部でシート材Ｓにト
ナー像が転写される。画像転写後にドラム面に残留するトナーは、クリーニング器２７によって除去される。
【００３４】
本実施形態においては、モノクロ画像を形成するプリンタを提示しているが、もちろん複数の色を用いてカラー画像を形成するプリンタでもこの発明を適用することは可能である。
【００３５】
（定着部）
画像形成部２においてトナー像を転写されたシート材Ｓは、定着装置４において、定着ローラ４ａ、加圧ローラ４ｂを通過する際に熱および圧力が印加されてトナー像をシート材Ｓに融着させ画像形成装置本体１０外に排出される。排出されたシート材Ｓ´はシート材排出部である排紙トレイ４１上に順次積載される。
【００３６】
定着ローラは、例えば約１８０℃に温調され、画像形成装置本体１０から排出された直後のシート材の温度は約９０℃である。そして、次のシート材が積載される前にシート材が放熱するため、積載後のシート材Ｓ´内部は約６０℃の温度を保っている。基本的に紙の場合断熱効果が高いので、積載されたシート材Ｓ´のかたまりの温度が下がるには時間を要する。よって、排出後もシート材Ｓ´からＶＯＣは発生しているため、これを除去する必要がある。
【００３７】
そこで、この発明においては、図１に示すように、画像形成装置本体１０から排出されるシート材Ｓ′周辺の気体である空気を吸引する吸引手段としてのファン５１と、このファン５１によって吸引された空気に含まれる揮発性有機化合物を浄化する浄化手段としての活性炭フィルタ５２とを設け、排出されるシート材周辺の空気を吸引し浄化処理して外気に排出するようになっている。
【００３８】
この第１の実施形態においては、ファン５１と活性炭フィルタ５２は画像形成装置本体１０に設けられた、浄化した空気を画像形成装置本体１０から外気に排出する構成となっている。すなわち、定着ユニット上方に、排紙トレイ４１上に積載されたシート材のＶＯＣを含んだ雰囲気を吸引するファン５１が設けられる。ファン５１は排紙トレイ４１上方に位置し、図１Ｂに示すように、画像形成装置本体１０の外装に設けられたルーバー５３より空気を吸引する。
【００３９】
図示例においては、ファンの吸引側前面に活性炭フィルタ５２が配置され、活性炭フィルタ５２を通じて吸引する構成となっている。この活性炭フィルタ５２を通過させることによってＶＯＣを吸着除去し、ダクト５４を介して画像形成装置本体１０の上面に開口するルーバー５５から装置外へ浄化した空気を排出している。図中、矢印は空気の流れを示している。排気の方向は上部に限らず、例えば後方に排気してもよい。
【００４０】
活性炭フィルタ５２は、図１Ｃに示すように、メッシュ構造をもったアルミやダンボールなどの基材に活性炭を固着することで、表面積を大きくし、ＶＯＣの除去効果を向上している。また、活性炭フィルタ５２上流に、埃などによる活性炭フィルタの目詰まりを防止するための防塵フィルタを設けても良い。画像形成装置本体１０内で発生したオゾンやＶＯＣは、上述した活性炭フィルタ５２とは別の活性炭フィルタを介して機外へ排出している。
【００４１】
次に、この発明の他の実施形態について説明する。以下の説明においては、第１の実施形態と異なる点について説明し、同一の構成部分についてはその説明を省略する。
【００４２】
（第２の実施形態）
図４に、この発明の第２の実施形態による画像形成装置を示す。図４に示すように、この第２の実施形態は、画像形成装置本体１０に後処理装置としてのシート材反転装置６およびスタッカ７が接続されている。スタッカ７はシート材の搬送路を上下に分岐させる分岐パスを備えたスタッカ本体７１と、シート材排出部としての上下の排紙トレイ７１Ａ，７１Ｂとを備えた構成となっている。
【００４３】
画像形成装置本体１０から排出されたシート材はシート材反転装置６およびスタッカ７を通り排紙トレイ７１Ａ，７１Ｂに排出される。シート材反転装置６はシート材の排出面をユーザーの操作に応じて変更するもので、表面排紙の場合には搬送パス６１を通過させ、裏面排紙時には反転パス６２でシート材をスイッチバックし表裏を逆転させる。パスの切換は本体コントローラの指令により、偏向ガイド（図示せず）をソレノイドによって稼働させることで行っている。
【００４４】
大容量化されたスタッカ７は、上下２段のそれぞれの排紙トレイ７１Ａ，７１Ｂに大容量積載を可能にしており、反転パスと同様に、スタッカ本体７１の偏向ガイド（図示せず）を本体コントローラによって動作させることにより、排紙トレイの切換可能に構成されている。例えば、ジョブごとに切り換えたり、パソコンからの出力とＦＡＸなど入力ソースで切り換えたりすることが可能で、ユーザーの好みに応じて設定変更ができる。
【００４５】
上記同様に本体から排出されたシート材は熱を持っているため、シート材反転装置６やスタッカ本体７１のパス内や排紙後の排紙トレイ７１Ａ，７１Ｂに積載されたシート材近傍の雰囲気にＶＯＣが混在している。上記例よりも排出部が遠いため、積載時の温度は低くなっているが、大量に積載するため、断熱効果も大きくなるため温度が下がるのに時間が掛かるので、ＶＯＣ総量としては温度降下の影響を全て享受できるわけではない。
【００４６】
そこで、排紙トレイ７１Ａ，７１Ｂ近傍の空気を吸引し浄化処理すると共に、後処理装置であるシート材反転装置６やスタッカ本体７１内の空気についても吸引し浄化処理するようになっている。
【００４７】
この実施形態においては、第１の実施形態と同様に、ファン５１と活性炭フィルタ５２は画像形成装置本体１０に設けられ、シート材反転装置６およびスタッカ本体７１内に、シート材反転装置６およびスタッカ本体７１内の空気および排紙トレイ７１Ａ，７１Ｂ近傍の空気を画像形成装置本体１０内に引き込む流路が設けられている。
【００４８】
本実施形態においては、図４に示すように、シート材反転装置６およびスタッカ本体７１のシート材搬送パスの上方に空気の流路を設け、画像形成装置本体１０内のファン５１で、シート材反転装置６およびスタッカ本体７１内や排紙トレイ７１Ａ，７１Ｂの雰囲気を吸引し、活性炭フィルタ５２によりＶＯＣを除去する。
【００４９】
また、流路が長くファン５１のみでは吸引力が足りない場合、ファンを補助する補助吸引手段としての補助ファン７２を後処理装置内に設けても良い。この実施形態においては、スタッカ本体７１の排紙トレイ７１Ａ，７１Ｂ上方に設け、排紙部の雰囲気を吸引し、かつ、画像形成装置本体１０に向けて送り込んでいる。また、補助ファン７２の前面にも活性炭フィルタ７３が取り付けている。シート材反転装置６およびスタッカ本体７１の各ユニットの密閉性が高ければファン５１と補助ファン７２の性能比を考慮する必要はないが、実際密閉性を上げるのは搬送路を受け渡さなければならないので困難である。
【００５０】
その際、（ファン５１の風量）＜（補助ファン７２の風量）の場合、装置接合部などの隙間からＶＯＣを含んだ空気が噴出してしまう。よって、この実施形態においては、画像形成装置本体１０側のファン５１の風量が補助ファン７２の風量より大きくなるように設
定している。この実施形態においては、（ファン５１の風量）＞（補助ファン７２の風量）となるように、同一ファンを用いて、各ファンに供給する電圧を調整している。
【００５１】
もちろん、ファン自体の性能を変えて風量を調整しても良い。また、同一ファン、同一電圧で活性炭フィルタ５２および活性炭フィルタ７３のメッシュ開口部や厚みを変えることで流路抵抗を異ならせても同様の効果が得られる。
【００５２】
（第３の実施形態）
図５に、この発明の第３の実施形態による画像形成装置を示す。この第３の実施形態においても、第２の実施形態におけると同様に、画像形成装置本体１０に後処理装置としてのシート材反転装置６およびスタッカ７が接続されている。スタッカ７は、シート材の搬送路を上下に分岐させる分岐パスを備えたスタッカ本体７１と、シート材排出部としての上下の排紙トレイ７１Ａ，７１Ｂとを備えている。
【００５３】
この第３の実施形態においては、後処理装置を構成するスタッカ本体７１とシート材反転装置のそれぞれに、ファン５１と活性炭フィルタ５２を装着したものである。
【００５４】
排紙トレイ７１Ａ，７１Ｂ近傍とスタッカ本体７１内の空気はスタッカ本体７１に設けられたファン５１と活性炭フィルタ５２によって吸引浄化されて外気に排出される。また、シート材反転装置６内の空気はシート材反転装置６に設けられたファン５１と活性炭フィルタ５２によって吸引浄化されて外気に排出される。
【００５５】
なお、第２および第３の実施形態においては、後処理装置としてシート材反転装置６およびスタッカ７を例に採って説明したが、例えばパンチャー、折り機、バインダー、フィニッシャなどの後処理装置を使用する場合においてもこの発明を適用可能である。
【００５６】
（第４の実施形態）
図６に、この発明の第４の実施形態による画像形成装置を示す。図６に示すように、この第４の実施形態による画像形成装置は、第１の実施形態におけると同様に、後処理装置が設けられていない。また、この画像形成装置は、画像形成装置本体１０に設けたファン５１によって排紙トレイ４１近傍の空気を吸引して、活性炭フィルタ５２によってＶＯＣを浄化処理して外部に排気する構成を有する。
【００５７】
そして、第１の実施形態と異なり、画像形成装置本体１０内のオゾンを含んだ空気と排紙部のＶＯＣを含んだ空気を同一のファン５１により、活性炭フィルタ５２を介して吸引することにより、オゾンによってＶＯＣを酸化分解するように構成している。このようにすれば、ＶＯＣの除去効率が向上し、装置の簡素化によりコストメリットも得られる。
【００５８】
この第４の実施形態のように定着装置４の上方かつ近傍に活性炭フィルタ５２を設けることで、定着装置４の廃熱および熱による分子運動の活性化により効率よくＶＯＣの除去を可能としている。
【００５９】
（第５の実施形態）
図７に、この発明の第５の実施形態による画像形成装置を示す。図７に示すように、この第５の実施形態においても、第１の実施形態と同様にして、ＶＯＣを浄化処理して外部に排気する。すなわち、この画像形成装置は、後処理装置が設けられていない構成で、画像形成装置本体１０に設けたファン５１によって排紙トレイ４１近傍の空気を吸引して活性炭フィルタ５２によってＶＯＣを浄化処理して外部に排気するものである。
【００６０】
この第５の実施形態においては、排紙部雰囲気のＶＯＣを含んだ空気を拡散させず、雰
囲気を吸引時に整流し効率よく吸引するために整流手段としてのフード５６を設けた例である。
【００６１】
（第６の実施形態）
図８に、この発明の第６の実施形態による画像形成装置を示す。図８に示すように、この第６の実施形態は、第５の実施形態におけるフード５６に変えて、排紙部雰囲気のＶＯＣを含んだ空気を拡散させず、効率よく吸引するために、排紙トレイ４１全体を囲うカバー５７を設け、排紙部を密閉した構成例である。また、シート材を取り出すために、開閉扉（図示せず）が設けられている。
【００６２】
（第７の実施形態）
図９に、この発明の第７の実施形態による画像形成装置を示す。図９に示すように、この第７の実施形態においては、第６の実施形態におけるカバー５７に、吸引手段としてのファン５１と浄化手段としての活性炭フィルタ５２とが設けられている。
【００６３】
以上、この発明の実施形態について具体的に説明したが、この発明は、上述の実施形態に限定されるものではなく、この発明の技術的思想に基づく各種の変形が可能である。例えば上述した実施形態においては、浄化手段としてのフィルタに活性炭を使用した例を挙げたが、酸化触媒を使用したフィルタを用いることも可能である。また、これらを複合して使用することも可能である。また、吸引手段としてファンを用いたが、ファンの代わりにコンプレッサーなどのポンプを用いることも可能である。
【図面の簡単な説明】
【００６４】
【図１】図１Ａは、この発明の第１の実施形態による画像形成装置を示す断面図であり、図１Ｂは図１Ａにおける排紙トレイ近傍の斜視図であり、図１Ｃはフィルタを表す斜視図である。
【図２】この発明の第１の実施形態による画像形成装置のＩ／Ｆ処理部の内部構造および周辺装置を示すブロック図である。
【図３】図１に示す画像形成装置の動作制御部のブロック図である。
【図４】この発明の第２の実施形態による画像形成装置の断面図である。
【図５】この発明の第３の実施形態による画像形成装置の断面図である。
【図６】この発明の第４の実施形態による画像形成装置の断面図である。
【図７】この発明の第５の実施形態による画像形成装置の断面図である。
【図８】この発明の第６の実施形態による画像形成装置の断面図である。
【図９】この発明の第７の実施形態による画像形成装置の断面図である。
【符号の説明】
【００６５】
１  リーダ部
２  画像形成部
３  給紙部
４  定着装置
６  シート材反転装置（後処理装置）
７  スタッカ（後処理装置）
１０  画像形成装置本体
１１  レーザスキャナユニット
４１  排紙トレイ（シート材排出部）
５１  ファン（吸引手段）
５２  活性炭フィルタ（浄化手段）
５３，５５  ルーバー
５４  ダクト
５６  フード（整流手段）
５７  カバー
６１  搬送パス
６２  反転パス
７１Ａ，Ｂ  排紙トレイ（シート材排出部）
７２  補助ファン（補助吸引手段）
７３  活性炭フィルタ（浄化手段）
１００  画像処理部
１０１  画像メモリ部
１０７  外部Ｉ／Ｆ処理部
１２０  ＣＰＵ
Ｓ  シート材
【図１】
2007232949.tif 000003
【図２】
2007232949.tif 000004
【図３】
2007232949.tif 000005
【図４】
2007232949.tif 000006
【図５】
2007232949.tif 000007
【図６】
2007232949.tif 000008
【図７】
2007232949.tif 000009
【図８】
2007232949.tif 000010
【図９】
2007232949.tif 000011